(57)【要約】【課題】容器に収容された内容物がこぼれ落ちることを防止するために容器の開口部を覆う包装用フィルムであって、容器に収容された、表面が損傷し易いイチゴ等の果実を、損傷させることなく、容易に取り出すことを可能にした包装用フィルムを提供する。【解決手段】包装用フィルム１は、矩形状のフィルム本体２と、フィルム本体２の対向する一対の側縁部の裏面にそれぞれその側辺に沿って設けられた粘着剤塗布部６、７とを備えている。フィルム本体２は、それぞれの一方の側縁部の裏面に粘着剤塗布部６、７が設けられた矩形状の第１及び第２のフィルム本体部材３、４からなっている。第１及び第２のフィルム本体部材３、４は、粘着剤塗布部６、７が設けられていない他方の側縁部同士を重ね合わせた状態で、粘着剤塗布部６、７の容器の外側面への接着力よりも小さい接着力で接着されている。【選択図】図３
2015009898.tif 000002
【特許請求の範囲】
【請求項１】
フィルム本体と、前記フィルム本体の対向する一対の側縁部の裏面にそれぞれその側辺に沿って設けられた粘着剤塗布部とを備え、前記フィルム本体が、上面が開口した容器に前記上面を覆うようにして被せられ、前記粘着剤塗布部が前記容器の外側面に接着固定される包装用フィルムであって、
前記フィルム本体は、それぞれの一方の側縁部の裏面に前記粘着剤塗布部が設けられた第１及び第２のフィルム本体部材からなり、
前記第１及び第２のフィルム本体部材は、前記粘着剤塗布部が設けられていない他方の側縁部同士を重ね合わせた状態で、前記粘着剤塗布部の前記容器の外側面への接着力よりも小さい接着力で接着されていることを特徴とする包装用フィルム。
【請求項２】
前記第１のフィルム本体部材と前記第２のフィルム本体部材の重なり部において、少なくとも表側に来るフィルム本体部材の側辺部分は、他方のフィルム本体部材に接着されていない非接着部となっている、請求項１に記載の包装用フィルム。
【発明の詳細な説明】
【技術分野】
【０００１】
本発明は、容器に収容された内容物がこぼれ落ちることを防止するために容器の開口部を覆う包装用フィルムに関する。さらに詳細には、本発明は、容器に収容された、表面が
損傷し易いイチゴ等の果実を、損傷させることなく、容易に取り出すことを可能にした包装用フィルムに関する。
【背景技術】
【０００２】
従来、この種の包装用フィルムとしては、例えば、図７〜図９に示すようなものが知られている。図７は、従来技術における包装用フィルムの構成を示す表面図、図８は、当該包装用フィルムの構成を示す裏面図、図９は、当該包装用フィルムの容器への装着状態を示す斜視図である。尚、図９においては、図面を見やすくするために、容器１０を不透明なものとして描いているが、実際の容器１０は透明又は半透明な材料からなっている。
【０００３】
図７、図８に示すように、従来技術における包装用フィルム１２は、矩形状のフィルム本体１３と、フィルム本体１３の対向する一対の側縁部の裏面にそれぞれその側辺に沿って設けられた粘着剤塗布部１４、１５とを備えている。使用前の包装用フィルム１２においては、粘着剤塗布部１４、１５上にそれぞれ剥離紙１６、１７が貼り付けられている。この包装用フィルム１２の容器への装着方法は、以下の通りである。
【０００４】
すなわち、図９に示すように、上面が開口した略直方体状の容器１０に内容物を収容した後、容器１０に前記上面を覆うようにしてフィルム本体１３を被せる。そして、図８に示すように、粘着剤塗布部１４、１５上の剥離紙１６、１７を剥がし、粘着剤塗布部１４、１５を容器１０の外側面に接着固定する（図９参照）。
【０００５】
ところで、上記のようにして包装用フィルム１２を装着した容器１０から内容物を取り出す場合には、フィルム本体１３をその側縁部の角部（図９の矢印Ｃ参照）から剥がす必要がある。
【０００６】
しかし、粘着剤塗布部１４、１５の容器１０の外側面への粘着力は、フィルム本体１３が容器１０から容易に外れない程度に大きいため、フィルム本体１３をその側縁部の角部から剥がす際には、容器１０の外側面を掴んで押さえておく必要がある。そして、容器１０の外側面を掴んだ状態でフィルム本体１３を剥がすと、表面が損傷し易いイチゴ等の果実を損傷させてしまう虞がある。
【０００７】
そこで、従来、フィルム本体を容器から剥がし易くして、反復使用できるようにした包装用フィルムが提案されている（例えば、特許文献１参照）。
【０００８】
特許文献１に開示された包装用フィルムは、反復使用できるように２重に粘着剤塗布部を設けた構成となっている。そして、容器の内容物の一部を入れ換える必要がある場合等に、フィルム本体を内側の第１の粘着剤塗布部と中間フィルムとの間で剥がし、前記中間フィルムは外側の第２の粘着剤塗布部と共に前記容器の外側面に接着したままの状態にしておき、内容物の入れ換え作業を終了した後に、再度前記フィルム本体を前記内側の第１の粘着剤塗布部によって前記中間フィルムに接着固定するようにされている。
【先行技術文献】
【特許文献】
【０００９】
【特許文献１】特許第３０２５０６１号公報
【発明の概要】
【発明が解決しようとする課題】
【００１０】
しかし、特許文献１で提案されている包装用フィルムにあっても、結局はその側縁部で容器から剥がすものであるため、剥がす際に容器を掴んで押さえておく必要があり、イチゴ等の損傷を防止できるものとはなっていない。
【００１１】
本発明は、従来技術における前記課題を解決するためになされたものであり、容器に収容された内容物がこぼれ落ちることを防止するために容器の開口部を覆う包装用フィルムであって、容器に収容された、表面が損傷し易いイチゴ等の果実を、損傷させることなく、容易に取り出すことを可能にした包装用フィルムを提供することを目的とする。
【課題を解決するための手段】
【００１２】
前記目的を達成するため、本発明に係る包装用フィルムの構成は、
（１）フィルム本体と、前記フィルム本体の対向する一対の側縁部の裏面にそれぞれその側辺に沿って設けられた粘着剤塗布部とを備え、前記フィルム本体が、上面が開口した容器に前記上面を覆うようにして被せられ、前記粘着剤塗布部が前記容器の外側面に接着固定される包装用フィルムであって、前記フィルム本体は、それぞれの一方の側縁部の裏面に前記粘着剤塗布部が設けられた第１及び第２のフィルム本体部材からなり、前記第１及び第２のフィルム本体部材は、前記粘着剤塗布部が設けられていない他方の側縁部同士を重ね合わせた状態で、前記粘着剤塗布部の前記容器の外側面への接着力よりも小さい接着力で接着されていることを特徴とする。
【００１３】
本発明の包装用フィルムの上記（１）の構成によれば、フィルム本体は、それぞれの一方の側縁部の裏面に粘着剤塗布部が設けられた第１及び第２のフィルム本体部材からなっている。そして、前記第１及び第２のフィルム本体部材は、前記粘着剤塗布部が設けられていない他方の側縁部同士を重ね合わせた状態で、前記粘着剤塗布部の容器の外側面への接着力よりも小さい接着力で接着されている。このため、前記フィルム本体が、上面が開口した前記容器に前記上面を覆うようにして被せられ、前記粘着剤塗布部が前記容器の外側面に接着固定された状態で、前記第１のフィルム本体部材と前記第２のフィルム本体部材の重なり部において表側に来るフィルム本体部材を他方のフィルム本体部材から無理なく剥がすことができる（すなわち、内容物の重量も手伝って、内容物を損傷させない程度に前記容器の上面の縁部を軽く押さえておくだけで、表側に来るフィルム本体部材を他方のフィルム本体部材から剥がすことができる）。そして、これにより、前記容器の上面を開いて、前記容器に収容された内容物を取り出すことが可能となる。このように、前記表側に来るフィルム本体部材を前記他方のフィルム本体部材から無理なく剥がして、前記容器の上面を開くことができるので、前記容器に収容された、例えば、表面が損傷し易いイチゴ等の果実を、損傷させることなく、容易に取り出すことができる。
【００１４】
本発明の包装用フィルムの上記（１）の構成においては、以下の（２）〜（４）のような構成にすることが好ましい。
【００１５】
（２）前記フィルム本体は、矩形状に形成されている。
【００１６】
（３）使用前の前記包装用フィルムにおいて、前記粘着剤塗布部上には剥離紙が貼り付けられている。
【００１７】
（４）前記包装用フィルムは、使用前において、前記粘着剤塗布部が設けられた前記側縁が長辺となる長尺形状に形成され、棒状体に巻き回されたロール体であり、使用時において、前記側縁の長さが所定寸法になるように、前記側縁に直交する方向に切断される。ここで、所定寸法は、上面が開口した容器の上面を覆うことができる寸法である。
【００１８】
（５）前記第１のフィルム本体部材と前記第２のフィルム本体部材の重なり部において、少なくとも表側に来るフィルム本体部材の側辺部分は、他方のフィルム本体部材に接着されていない非接着部となっている。
【００１９】
上記（５）の好ましい構成によれば、表側に来るフィルム本体部材の側辺部分の角部を指で摘まんで手前に軽く引っ張ることにより、前記表側に来るフィルム本体部材を他方のフィルム本体部材から簡単に剥がすことが可能となる。
【発明の効果】
【００２０】
本発明によれば、容器に収容された内容物がこぼれ落ちることを防止するために容器の開口部を覆う包装用フィルムであって、容器に収容された、例えば、表面が損傷し易いイチゴ等の果実を、損傷させることなく、容易に取り出すことを可能にした包装用フィルムを提供することができる。
【図面の簡単な説明】
【００２１】
【図１】図１は、本発明の一実施の形態における包装用フィルムの構成を示す表面図である。
【図２】図２は、本発明の一実施の形態における包装用フィルムを分解して示した表面図である。
【図３】図３は、本発明の一実施の形態における包装用フィルムにおいて、第１のフィルム本体部材を第２のフィルム本体部材から剥がしている状態を示す表面図である。
【図４】図４は、本発明の一実施の形態における包装用フィルムの構成を示す裏面図である。
【図５】図５は、本発明の一実施の形態の変形例における、使用前の包装用フィルムの構成を示す表面図である。
【図６】図６は、本発明の一実施の形態における包装用フィルムの容器への装着状態を示す斜視図である。
【図７】図７は、従来技術における包装用フィルムの構成を示す表面図である。
【図８】図８は、従来技術における包装用フィルムの構成を示す裏面図である。
【図９】図９は、従来技術における包装用フィルムの容器への装着状態を示す斜視図である。
【発明を実施するための形態】
【００２２】
以下、好適な実施の形態を用いて本発明をさらに具体的に説明する。但し、下記の実施の形態は本発明を具現化した例に過ぎず、本発明はこれに限定されるものではない。
【００２３】
（包装用フィルムの構成）
まず、本発明の一実施の形態における包装用フィルムの構成について、図１〜図６を参照しながら説明する。
【００２４】
図１は、本発明の一実施の形態における包装用フィルムの構成を示す表面図、図２は、当該包装用フィルムを分解して示した表面図、図３は、当該包装用フィルムにおいて、第１のフィルム本体部材を第２のフィルム本体部材から剥がしている状態を示す表面図、図４は、当該包装用フィルムの構成を示す裏面図、図６は、当該包装用フィルムの容器への装着状態を示す斜視図である。尚、図６においては、図面を見やすくするために、容器１０を不透明なものとして描いているが、実際の容器１０は透明又は半透明な材料からなっている。
【００２５】
図１〜図４に示すように、本実施の形態の包装用フィルム１は、矩形状のフィルム本体２と、フィルム本体２の対向する一対の側縁部の裏面にそれぞれその側辺に沿って設けられた粘着剤塗布部６、７とを備えている。使用前の包装用フィルム１においては、粘着剤塗布部６、７上にそれぞれ剥離紙８、９が貼り付けられている。この包装用フィルム１の容器への装着方法は、以下の通りである。
【００２６】
すなわち、図６に示すように、上面が開口したプラスチック製の略直方体状の容器１０に内容物を収容した後、容器１０に前記上面を覆うようにしてフィルム本体２を被せる。そして、図４に示すように、粘着剤塗布部６、７上の剥離紙８、９を剥がし、粘着剤塗布部６、７を容器１０の外側面に接着固定する（図６参照）。
【００２７】
図５は、本発明の一実施の形態の変形例における、使用前の包装用フィルム１の構成を示す表面図である。変形例は、上記実施形態とは、使用前において、粘着剤塗布部６、７が設けられた側縁が長辺となる長尺形状に形成され、棒状体１ａに巻き回されたロール体である点が異なる。また、変形例では、粘着剤塗布部６、７上にそれぞれ剥離紙が貼り付けられていない。変形例における、包装用フィルム１の容器１０（図６参照）への装着方法は、まず、使用時において、側縁の長さが所定寸法になるように、側縁に直交する方向に延びる切断線１ｂで切断する。その後、容器１０に上面を覆うようにしてフィルム本体２を被せ、粘着剤塗布部６、７を容器１０の外側面に接着固定する。なお、切断したときの側縁の長さとなる所定寸法は、容器の上面を覆うことができる寸法であり、容器の大きさに応じた寸法とすることができる。また、予め所定寸法の間隔で、フィルム本体２に切断を容易にするミシン目を形成してもよい。変形例によれば、剥離紙を設けることなく、使用前の包装用フィルム１を流通することができる。
【００２８】
フィルム本体２は、容器１０の大きさ及び内容物の収容量に応じて必要な大きさの矩形状に成形される。
【００２９】
図１〜図４に示すように、フィルム本体２は、それぞれの一方の側縁部の裏面に粘着剤塗布部６、７が設けられた矩形状の第１及び第２のフィルム本体部材３、４からなっている。
【００３０】
第１及び第２のフィルム本体部材３、４は、粘着剤塗布部６、７が設けられていない他方の側縁部同士を重ね合わせた状態で、接着部５により接着されている。ここで、接着部５は、第１及び第２のフィルム本体部材３、４の粘着剤塗布部６、７が設けられていない他方の側縁部において、その側辺の全長にわたって設けられている。
【００３１】
接着部５は、長さが粘着剤塗布部６、７と同じで、幅が粘着剤塗布部６、７よりも小さくなるように形成されている。また、接着部５において、第１及び第２のフィルム本体部材３、４は、互いに、所定の幅（例えば、０．５〜２ｍｍ）で、熱溶着されている。なお、本実施形態では、第１及び第２のフィルム本体部材３、４の接着は、熱溶着に限らず、粘着剤により接着してもよい。また、接着部５の所定の幅は、粘着剤塗布部６、７の幅に比べて狭い。これにより、第１及び第２のフィルム本体部材３、４は、粘着剤塗布部６、７の容器１０の外側面への接着力よりも小さい接着力で接着された状態となっている。
【００３２】
本実施の形態の包装用フィルム１によれば、フィルム本体２は、それぞれの一方の側縁部の裏面に粘着剤塗布部６、７が設けられた第１及び第２のフィルム本体部材３、４からなっている。そして、第１及び第２のフィルム本体部材３、４は、粘着剤塗布部６、７が設けられていない他方の側縁部同士を重ね合わせた状態で、粘着剤塗布部６、７の容器１０の外側面への接着力よりも小さい接着力で接着されている。このため、フィルム本体２が、上面が開口した略直方体状の容器１０に前記上面を覆うようにして被せられ、粘着剤塗布部６、７が容器１０の外側面に接着固定された状態で、第１のフィルム本体部材３と第２のフィルム本体部材４の重なり部において表側に来る第１のフィルム本体部材３を第２のフィルム本体部材４から無理なく剥がすことができる（すなわち、内容物の重量も手伝って、内容物を損傷させない程度に容器１０の上面の縁部を軽く押さえておくだけで、表側に来る第１のフィルム本体部材３を第２のフィルム本体部材４から剥がすことができる）。そして、これにより、容器１０の上面を開いて、容器１０に収容された内容物を取り出すことが可能となる。このように、表側に来る第１のフィルム本体部材３を第２のフィルム本体部材４から無理なく剥がして、容器１０の上面を開くことができるので、容器１０に収容された、例えば、表面が損傷し易いイチゴ１１等の果実を、損傷させることなく、容易に取り出すことができる。
【００３３】
尚、本実施の形態の包装用フィルム１の接着部５において粘着剤を用いたい場合には、剥がした第１のフィルム本体部材３を、再度第２のフィルム本体部材４に接着することもできるので、特許文献１に開示された包装用フィルムの場合と同様に、容器の内容物の一部を入れ換える必要がある場合等にも対処することができる。
【００３４】
第１のフィルム本体部材３と第２のフィルム本体部材４の重なり部において、表側に来る第１のフィルム本体部材３の側辺部分は、第２のフィルム本体部材４に接着されていない非接着部となっている。そして、この構成によれば、表側に来る第１のフィルム本体部材３の側辺部分（非接着部）の角部（図３の矢印Ａ、図６の矢印Ｂ参照）を指で摘まんで手前に軽く引っ張ることにより、表側に来る第１のフィルム本体部材３を第２のフィルム本体部材４から簡単に剥がすことが可能となる。図１〜図３において、参照符号３ａは第１のフィルム本体部材３の側辺を示している。尚、本実施の形態の包装用フィルム１においては、裏側に来る第２のフィルム本体部材４の側辺部分も、第１のフィルム本体部材３に接着されていない非接着部となっている。
【００３５】
フィルム本体２（第１及び第２のフィルム本体部材３、４）の材料としては、例えば、ポリエチレン（ＰＥ）、ポリエチレンテレフタレートフィルム（ＰＥＴ）、ポリ塩化ビニル（ＰＶＣ）、ポリ塩化ビニリデン（ＰＶＤＣ）、二軸延伸ポリスチレンフィルム（ＯＰＳ）、二軸延伸ポリプロピレンフィルム（ＯＰＰ）、ＰＥとポリプロピレン（ＰＰ）との複合材料、ナイロン（ＮＹ）とＰＥとの複合材料等を用いることができる。
【００３６】
粘着剤塗布部６、７に塗布される粘着剤としては、例えば、天然ゴム、ブチルゴム等のゴム系粘着剤、アクリル系粘着剤、ポリウレタン系粘着剤等を用いることができる。また、接着部５において粘着剤を用いる場合、当該粘着剤として、粘着剤塗布部６、７に塗布される粘着剤と同様の材料を使用することができる。
【００３７】
（包装用フィルムの使用方法）
次に、本発明の一実施の形態における包装用フィルムの使用方法について、包装する内容物がイチゴである場合を例に挙げて説明する。
【００３８】
まず、図６に示すように、上面が開口した略直方体状の容器１０にイチゴ１１を収容した後、容器１０に前記上面を覆うようにしてフィルム本体２を被せる。そして、図４に示すように、粘着剤塗布部６、７上の剥離紙８、９を剥がし、粘着剤塗布部６、７を容器１０の外側面に接着固定する（図６参照）。これにより、容器１０に収容されたイチゴ１１がこぼれ落ちることを防止することができる。
【００３９】
次に、容器１０に収容されたイチゴ１１を取り出す場合には、フィルム本体２が、上面が開口した略直方体状の容器１０に前記上面を覆うようにして被せられ、粘着剤塗布部６、７が容器１０の外側面に接着固定された状態で、表側に来る第１のフィルム本体部材３の側辺部分（非接着部）の角部（図３の矢印Ａ、図６の矢印Ｂ参照）を指で摘まんで手前に軽く引っ張る。第１のフィルム本体部材３と第２のフィルム本体部材４の重なり部において、第１及び第２のフィルム本体部材３、４は、粘着剤塗布部６、７の容器１０の外側面への接着力よりも小さい接着力で接着された状態となっているので、当該引っ張り動作により、表側に来る第１のフィルム本体部材３を第２のフィルム本体部材４から無理なく剥がすことができる。そして、これにより、容器１０の上面を開いて、容器１０に収容されたイチゴ１１を取り出すことが可能となる。このように、表側に来る第１のフィルム本体部材３を第２のフィルム本体部材４から無理なく剥がして、容器１０の上面を開くことができるので、容器１０に収容された、表面が損傷し易いイチゴ１１を、損傷させることなく、容易に取り出すことができる。
【００４０】
尚、上記実施の形態においては、矩形状のフィルム本体２を備えている場合を例に挙げて説明したが、本発明は必ずしもこのような構成に限定されるものではない。フィルム本体は、対向する一対の側縁部を有していれば、略楕円形状、多角形状等に成形されていてもよい。すなわち、フィルム本体は、容器１０の形状に対応させて様々な形状に成形され得る。
【００４１】
また、上記実施の形態において、第１及び第２のフィルム本体部材３、４が熱溶着された接着部５は、長さが粘着剤塗布部６、７と同じで、幅が粘着剤塗布部６、７よりも小さくなるように形成した。これにより、第１及び第２のフィルム本体部材３、４は、互いに、粘着剤塗布部６、７の容器１０の外側面への接着力よりも小さい接着力で接着されている。しかしながら、本発明は必ずしもこのような構成に限定されるものではない。例えば、接着部５において粘着剤を用いる場合、長さ及び幅が粘着剤塗布部６、７と同じになるように形成し、接着部５に塗布される粘着剤として、粘着剤塗布部６、７に塗布される粘着剤よりも粘着力の小さい粘着剤を用いることにより、第１及び第２のフィルム本体部材３、４が、粘着剤塗布部６、７の容器１０の外側面への接着力よりも小さい接着力で接着された状態となるようにしてもよい。
【００４２】
また、上記実施の形態においては、第１のフィルム本体部材３と第２のフィルム本体部材４の重なり部において、表側に来る第１のフィルム本体部材３の側辺部分だけでなく、裏側に来る第２のフィルム本体部材４の側辺部分も、他方のフィルム本体部材に接着されていない非接着部となっている場合を例に挙げて説明したが、本発明は必ずしもこのような構成に限定されるものではない。第１のフィルム本体部材３と第２のフィルム本体部材４の重なり部において、少なくとも表側に来るフィルム本体部材の側辺部分が、他方のフィルム本体部材に接着されていない非接着部となっていればよい。
【００４３】
また、上記実施の形態においては、第１及び第２のフィルム本体部材３、４を接着するための接着部５が第１及び第２のフィルム本体部材３、４の側縁部にその側辺の全長にわたって設けられている場合を例に挙げて説明したが、本発明は必ずしもこのような構成に限定されるものではない。例えば、接着部５は、第１及び第２のフィルム本体部材３、４の側縁部に、その側辺の少なくとも端部領域を除いて設けるようにしてもよい。そして、この構成によれば、必ずしも上記のような非接着部を設ける必要はない。
【００４４】
また、上記実施の形態においては、第１及び第２のフィルム本体部材３、４を接着するための接着部５が、裏側に来る第２のフィルム本体部材４の側縁部の表面に設けられている場合を例に挙げて説明したが、本発明は必ずしもこのような構成に限定されるものではない。接着部５は、表側に来る第１のフィルム本体部材３の裏面に設けるようにしてもよい。
【００４５】
また、上記実施の形態においては、容器１０に収容される内容物がイチゴ１１等の果実である場合を例に挙げて説明したが、本発明の包装用フィルムは必ずしも果実用途に限定されるものではない。本発明の包装用フィルムは、例えば、椎茸等のキノコ類を包装するために用いることもできる。
【００４６】
また、上記実施の形態においては、包装用フィルム１を装着する容器１０がプラスチック製である場合を例に挙げて説明したが、本発明の包装用フィルムを装着する容器は必ずしもプラスチック製のものに限定されるものではない。本発明の包装用フィルムは、例えば、段ボール製の容器に装着することもできる。
【産業上の利用可能性】
【００４７】
本発明によれば、容器に収容された内容物がこぼれ落ちることを防止するために容器の開口部を覆う包装用フィルムであって、容器に収容された、表面が損傷し易いイチゴ等の果実を、損傷させることなく、容易に取り出すことを可能にした包装用フィルムを提供することができる。従って、本発明の包装用フィルムは、容器に収容された、表面が損傷し易いイチゴ等の果実を、包装するためのフィルムとして有用である。
【符号の説明】
【００４８】
１  包装用フィルム
２  フィルム本体
３  第１のフィルム本体部材
４  第２のフィルム本体部材
５  接着部
６、７  粘着剤塗布部
８、９  剥離紙
１０  容器
１１  イチゴ
【図１】
2015009898.tif 000003
【図２】
2015009898.tif 000004
【図３】
2015009898.tif 000005
【図４】
2015009898.tif 000006
【図５】
2015009898.tif 000007
【図６】
2015009898.tif 000008
【図７】
2015009898.tif 000009
【図８】
2015009898.tif 000010
【図９】
2015009898.tif 000011